(57)【要約】【課題】記録部において異常が発生しておらず使用可能な論理ブロックが無駄になってしまうことを防止する。【解決手段】実施形態の映像収録再生装置は、複数の記録手段と、検出手段と、復元手段と、書込手段と、を備える。前記複数の記録手段は、映像データから分割した複数の分割データおよび前記分割データを復元するための復元データが複数の記憶領域に分散して書き込まれる。前記検出手段は、前記記録手段に書き込まれた前記分割データおよび前記復元データの異常を前記記憶領域単位で検出する。前記復元手段は、前記異常が検出された分割データまたは復元データを、前記記録手段に書き込まれた前記分割データおよび前記復元データから復元する。前記書込手段は、前記復元された分割データまたは復元データを、前記異常が検出された分割データまたは復元データが書き込まれていた前記記憶領域以外の前記記憶領域に書き込む。【選択図】図１
2013065102.tif 000002
【特許請求の範囲】
【請求項１】
映像データから分割した複数の分割データおよび前記分割データを復元するための復元データが複数の記憶領域に分散して書き込まれる複数の記録手段と、
前記記録手段に書き込まれた前記分割データおよび前記復元データの異常を前記記憶領域単位で検出する検出手段と、
前記異常が検出された分割データまたは復元データを、前記記録手段に書き込まれた前記分割データおよび前記復元データから復元する復元手段と、
前記復元された分割データまたは復元データを、前記異常が検出された分割データまたは復元データが書き込まれていた前記記憶領域以外の前記記憶領域に書き込む書込手段と、
を備える映像収録再生装置。
【請求項２】
前記分割データおよび前記復元データの異常の検出の中断指示を受け付ける受付手段を備え、
前記検出手段は、前記中断指示を受け付けた場合、前記分割データおよび前記復元データの異常の検出を中断する請求項１に記載の映像収録再生装置。
【請求項３】
前記記録手段にかかる負荷が所定の負荷よりも高くなった際に前記中断指示を出力する出力手段を備え、
前記受付手段は、前記出力手段により出力された前記中断指示を受け付ける請求項２に記載の映像収録再生装置。
【請求項４】
前記出力手段は、前記記録手段にかかる負荷が前記所定の負荷以下になった際に再開指示を出力し、
前記受付手段は、前記出力手段により出力された前記再開指示を受け付け、
前記検出手段は、前記再開指示を受け付けた場合、前記分割データおよび前記復元データの異常の検出を再開する請求項３に記載の映像収録再生装置。
【請求項５】
前記記録手段に書き込まれた前記分割データおよび前記復元データを読み出す読出手段をさらに備え、
前記検出手段は、前記分割データおよび前記復元データの読み出し時に、前記記録手段に書き込まれた前記分割データおよび前記復元データの異常を検出する請求項１から４のいずれか一に記載の映像収録再生装置。
【請求項６】
前記複数の記録手段を備えた複数の記憶部を備え、
前記書込手段は、前記復元された分割データまたは復元データを、前記異常が検出された分割データまたは復元データが書き込まれていた前記記録手段を備えた前記記憶部以外の前記記憶部が備える前記記録手段の前記記憶領域に書き込む請求項１から５のいずれか一に記載の映像収録再生装置。
【請求項７】
前記検出手段は、前記記録手段に書き込まれた前記分割データおよび前記復元データのうち、前記読出手段により読み出された前記分割データおよび前記復元データ以外の前記分割データおよび前記復元データの異常を検出する請求項５に記載の映像収録再生装置。
【請求項８】
前記復元された分割データまたは復元データを書き込む退避先を選択する選択手段をさらに備え、
前記書込手段は、前記復元された分割データまたは復元データを、前記選択された退避先に書込む請求項１から７のいずれか一に記載の映像収録再生装置。
【請求項９】
前記分割データまたは前記復元データの異常が検出された前記記憶領域の数を前記記録手段毎に計数する計数手段と、
前記計数された数が閾値を超えた前記記録手段を、前記分割データおよび前記復元データを書き込む対象から外す切離処理を実行する切離手段と、
を備える請求項１から８のいずれか一に記載の映像収録再生装置。
【請求項１０】
前記計数された数を前記記録手段毎に表示部に表示する表示制御手段と、
前記計数された数を表示した前記記録手段のうち、前記切離処理を実行する前記記録手段の選択を受け付ける受付手段と、を備え、
前記切離手段は、前記選択を受け付けた前記記録手段に対して前記切離処理を実行する請求項９に記載の映像収録再生装置。
【発明の詳細な説明】
【技術分野】
【０００１】
本発明の実施形態は、映像収録再生装置に関する。
【背景技術】
【０００２】
放送局向けの映像素材を収録・再生するビデオサーバは、公共性が高く、映像素材の再生障害は大きな問題となるため、映像素材の再生品質が問われる装置である。そのため、ビデオサーバにおいては、映像素材を収録するメモリ基板に対して、リードソロモン符号化／復号化等の誤り訂正機能を組み込むことにより、異常が発生した映像素材を救済している。しかしながら、誤り訂正機能を組み込むことにより映像素材を救済する方法では、メモリ基板の一部の記憶領域に異常が発生すると映像素材の救済も復元もできない場合がある。そのため、ビデオサーバを２系統化することにより、ビデオサーバのさらなる信頼性の向上を図っている。
【０００３】
ただし、ビデオサーバを２系統化すると、装置費用が大幅に上がるため、地方局やケーブルテレビ局など小規模の放送局への導入が難しい。そのため、小規模の放送局においては、メモリ基板の一部の記憶領域に異常が発生しても、映像素材の救済および復元が可能なＲＡＩＤ（Redundant  Arrays  of  Inexpensive  Disks）機能を組み込むことで、ビデオサーバの信頼性を向上させている。ところで、メモリ基板を冗長化したＲＡＩＤ機能では、１つのメモリ基板において異常が発生した場合、異常が発生したメモリ基板を切り離して、残りのメモリ基板で動作可能な構成となっている。さらに、ＲＡＩＤ機能では、異常が発生したメモリ基板を交換した際に、他のメモリ基板から映像素材を復元し、復元した映像素材を交換したメモリ基板に記憶させるリビルド機能により、メモリ基板を冗長化した安定した状態に戻すことができる。
【先行技術文献】
【特許文献】
【０００４】
【特許文献１】特開平１１−１３４２１１号公報
【発明の概要】
【発明が解決しようとする課題】
【０００５】
しかしながら、メモリ基板を冗長化したＲＡＩＤ機能において、メモリ基板の一部の記憶領域でしか異常が発生していないにも関わらず、異常が発生したメモリ基板を交換してしまうと、当該メモリ基板において異常が発生しておらず使用可能な記憶領域が無駄になってしまう、という課題がある。
【課題を解決するための手段】
【０００６】
実施形態の映像収録再生装置は、複数の記録手段と、検出手段と、復元手段と、書込手段と、を備える。前記複数の記録手段は、映像データから分割した複数の分割データおよび前記分割データを復元するための復元データが複数の記憶領域に分散して書き込まれる。前記検出手段は、前記記録手段に書き込まれた前記分割データおよび前記復元データの異常を前記記憶領域単位で検出する。前記復元手段は、前記異常が検出された分割データまたは復元データを、前記記録手段に書き込まれた前記分割データおよび前記復元データから復元する。前記書込手段は、前記復元された分割データまたは復元データを、前記異常が検出された分割データまたは復元データが書き込まれていた前記記憶領域以外の前記記憶領域に書き込む。
【図面の簡単な説明】
【０００７】
【図１】図１は、本実施形態にかかる映像送出システム全体の構成を示す図である。
【図２】図２は、本実施形態にかかる映像収録再生装置の機能構成を示すブロック図である。
【図３】図３は、主制御処理部の機能構成およびメモリに記憶された情報を示す図である。
【図４】図４は、構成管理テーブルのデータ構成を示す図である。
【図５】図５は、リソース管理テーブルのデータ構成を示す図である。
【図６】図６は、素材管理テーブルのデータ構成を示す図である。
【図７】図７は、映像データの書き込みおよび映像データの読み出しを説明するための図である。
【図８】図８は、分割データを正常に受け取ることができなかった場合における、映像データの読み出しを説明するための図である。
【図９】図９は、映像データを再構築する処理を説明するための図である。
【図１０】図１０は、素材情報のデータ構成を示す図である。
【図１１】図１１は、素材情報のデータ構成を示す図である。
【図１２】図１２は、破損情報のデータ構成を示す図である。
【図１３】図１３は、素材情報ＤＢおよび破損情報ＤＢに記憶された情報の関係を説明するための図である。
【図１４】図１４は、映像データの異常を検出する処理の流れの一例を示すシーケンス図である。
【図１５】図１５は、映像データの異常の検出を中断する処理の流れの一例を示すシーケンス図である。
【図１６】図１６は、異常が検出された論理ブロックの数が閾値を超えた記録部の切離処理の流れの一例を示すシーケンス図である。
【図１７】図１７は、保守端末からの切離指示を受けて実行する切離処理の流れの一例を示すシーケンス図である。
【図１８】図１８は、破損ブロック数が表示された画面の一例を示す図である。
【図１９】図１９は、異常が検出された映像データを他の記憶部に退避する処理の流れの一例を示すシーケンス図である。
【発明を実施するための形態】
【０００８】
図１は、本実施形態にかかる映像送出システム全体の構成を示す図である。本実施形態にかかる映像送出システム１は、映像素材の収録および再生を行う映像収録再生装置１１、ビデオカメラ１２、再生デッキ１３、編集機１４、放送設備１５、モニタ１６、および操作端末１７等を備えている。
【０００９】
ビデオカメラ１２は、撮影により取得した映像素材の映像信号を映像収録再生装置１１へ出力する。
【００１０】
再生デッキ１３は、映像データまたは映像ファイルが記録された映像記録メディア（図示しない）が挿入される。ここで、映像データとは、映像信号が予め設定された所定の符号化方式により符号化されたものである。映像ファイルとは、映像データがファイル形式に変換されたものである。再生デッキ１３は、映像記録メディアから映像データまたは映像ファイルを読み出し、映像信号に変換して映像収録再生装置１１へ出力する。
【００１１】
編集機１４は、ユーザからの要求に従い、映像収録再生装置１１に蓄積されている映像ファイルを読み出す。ユーザは、編集機１４により、読み出した映像ファイルを編集する。そして、編集機１４は、編集済みの映像ファイルを映像収録再生装置１１へ出力する。
【００１２】
操作端末１７は、ユーザからの処理要求を受け付け、ユーザから要求された処理を実行するように、映像収録再生装置１１に対して指示を出す。ここで、ユーザが要求する処理とは、映像信号を映像収録再生装置１１に蓄積する収録処理、映像収録再生装置１１に蓄積されている映像信号の再生処理、リビルド処理、および映像収録再生装置１１に蓄積されている映像信号の異常検出処理等である。なお、リビルド処理とは、映像収録再生装置１１内に搭載される記録部１〜５（２６−１〜２６−５）（図２参照）のいずれかを交換した際に、交換対象の記録部以外に記録されるデータに基づき、交換前の記録部に記録されていたデータを、交換後の記録部に再構築する処理である。
【００１３】
モニタ１６は、映像収録再生装置１１に蓄積される映像データまたは映像ファイルが再生された映像信号を受信する。モニタ１６は、映像収録再生装置１１からの映像信号を表示する。ユーザは、モニタ１６で放送前の映像確認等を行う。
【００１４】
放送設備１５は、映像収録再生装置１１に蓄積されている映像データまたは映像ファイルが再生された映像信号を受信する。放送設備１５は、映像収録再生装置１１からの映像信号を、放送サービスを提供するエリアへ向けて送信する。
【００１５】
図２は、本実施形態にかかる映像収録再生装置の機能構成を示すブロック図である。本実施形態にかかる映像収録再生装置１１は、図２に示すように、収録部２１、記憶部２２、再生部２３、および主制御部２４を備えている。なお、収録部２１、記憶部２２、および再生部２３は、それぞれ１以上で構成されているものとする。
【００１６】
主制御部２４は、映像収録再生装置１１全体のリソースの管理・制御や、上位制御装置２０１や保守端末２０２（例えば、操作端末１７）からの制御・情報表示等を行うものである。主制御部２４は、ＣＰＵ（Central  Processing  Unit）２４１、主制御処理部２４２、および管理情報データベース（ＤＢ）２４３を備える。
【００１７】
ＣＰＵ２４１は、上位制御装置２０１や保守端末２０２から、収録処理の実行を指示する収録指示、再生処理の実行を指示する再生指示、リビルド処理の実行を指示するリビルド指示、および異常検出処理の実行を指示する異常検出指示等の制御要求を受信すると、主制御処理部２４２に映像収録再生装置１１全体を制御させる。
【００１８】
主制御処理部２４２は、ＣＰＵ２４１が制御要求を受信した際に、管理情報ＤＢ２４３に記憶された情報を参照して、映像収録再生装置１１全体を制御するものである。
【００１９】
図３は、主制御処理部の機能構成およびメモリに記憶された情報を示す図である。主制御処理部２４２は、図３に示すように、制御受付部２４４、メイン処理部２４５、およびリソース管理部２４６を備えている。制御受付部２４４は、ＣＰＵ２４１が受信した制御要求を受け付ける。
【００２０】
メイン処理部２４５は、制御受付部２４４により受け付けた制御要求の種別（収録指示、再生指示、リビルド指示、または異常検出指示等）を判別する。次いで、メイン処理部２４５は、リソース管理部２４６に対して、判別した種別の制御要求に応じた処理に使用可能なリソースのリストおよび当該リソースの運用に必要な情報である管理情報等を含むリソース情報の取得を要求する。そして、メイン処理部２４５は、リソース管理部２４６からリソース情報を受け取ると、制御受付部２４４を介して、制御要求を送信した送信元の装置（上位制御装置２０１や保守端末２０２）に対して応答メッセージを返す。
【００２１】
さらに、メイン処理部２４５は、リソース管理部２４６から受け取ったリソース情報のリストに含まれるリソースを制御して、制御要求に応じた処理を実行する。具体的には、メイン処理部２４５は、制御受付部２４４により受け付けた制御要求の種別が収録指示である場合、リソース管理部２４６から受け取ったリソース情報に含まれるリストが示すリソースに含まれる収録部２１および記憶部２２に対して、収録処理を実行するように収録制御を行う。
【００２２】
また、メイン処理部２４５は、制御受付部２４４により受け付けた制御要求の種別が再生指示である場合、リソース管理部２４６から受け取ったリソース情報に含まれるリストが示すリソースに含まれる記憶部２２および再生部２３に対して、指定された映像信号の再生処理を実行するように再生制御を行う。このとき、メイン処理部２４５は、リソース管理部２４６に対して、指定された映像信号の素材ＩＤを要求し、リソース管理部２４６により素材管理テーブルＦ３（図６参照）から読み出された素材ＩＤを記憶部２２へ通知する。
【００２３】
また、メイン処理部２４５は、制御受付部２４４により受け付けた制御要求の種別がリビルド指示である場合、リソース管理部２４６から受け取ったリソース情報に含まれるリストが示すリソースに含まれる記憶部２２に対して、指定された映像信号のリビルド処理を実行するようにリビルド制御を行う。このとき、メイン処理部２４５は、リソース管理部２４６に対して、指定された映像信号の素材ＩＤを要求し、リソース管理部２４６により素材管理テーブルＦ３（図６参照）から読み出された素材ＩＤを記憶部２２へ通知する。
【００２４】
さらに、メイン処理部２４５は、制御受付部２４４により受け付けた制御要求の種別が異常検出指示である場合、リソース管理部２４６から受け取ったリソース情報が示すリソースに含まれる記憶部２２に対して、リソース情報に含まれる管理情報を通知して、異常検出処理を実行するように異常検出制御を行う。このとき、メイン処理部２４５は、リソース管理部２４６に対して、指定された映像信号の素材ＩＤを要求し、リソース管理部２４６により素材管理テーブルＦ３（図６参照）から読み出された素材ＩＤを記憶部２２へ通知する。
【００２５】
リソース管理部２４６は、メイン処理部２４５からリソース情報の取得が要求されると、管理情報ＤＢ２４３に記憶された情報（構成管理テーブルＦ１、リソース管理テーブルＦ２、素材管理テーブルＦ３等）を参照して、使用可能なリソースを特定する。そして、リソース管理部２４６は、特定したリソースのリスト、および当該特定したリソースの管理情報を含むリソース情報をメイン処理部２４５に送る。
【００２６】
図４は、構成管理テーブルのデータ構成を示す図である。構成管理テーブルＦ１は、図４に示すように、映像収録再生装置１１が備えるリソース（主制御部２４、収録部２１、再生部２３、記憶部２２など）の種別であるリソース種別に対応付けて、リソース種別が同じリソースを識別するためのリソース番号と、各種リソースの運用に必要な情報である管理情報と、を記憶するものである。なお、管理情報は、保守端末２０２が備える画面（図示しない）から、映像収録再生装置１１の運用中に任意に設定できるものとする。
【００２７】
リソース種別：「主制御部」と対応付けられた管理情報には、映像収録再生装置１１に収録されている映像信号のうち異常が検出された映像信号の退避先（例えば、異常が検出された映像信号が収録された記憶部２２と同一の記憶部２２内、異常が検出された映像信号が収録された記憶部２２とは異なる記憶部２２など）、映像収録再生装置１１に収録された映像信号のうち再生済みの映像信号を退避させる退避条件などが含まれている。
【００２８】
リソース種別：「収録部」または「再生部」と対応付けられた管理情報には、収録部２１または再生部２３と各種データをやりとりするための伝送路を示すＣＨ情報などが含まれている。
【００２９】
リソース種別：「記憶部」と対応付けられた管理情報には、記憶部２２に収録された映像信号の再生に伴う当該映像信号の読み出しまたは記憶部２２への映像信号の収録に伴う当該映像信号の書き込みに使用可能な帯域である最大使用可能帯域、記憶部２２を特定する記憶部番号、記憶部２２が備える記憶制御部２５を示す記憶制御部情報、記憶部２２が備える記録部１〜５（２６−１〜２６−５）を示す記録部情報（例えば、記録部１〜５（２６−１〜２６−５）を、映像信号を収録する対象から外す切離処理を実行する所定の閾値）などが含まれている。
【００３０】
図５は、リソース管理テーブルのデータ構成を示す図である。リソース管理テーブルＦ２は、図５に示すように、収録処理や再生処理や異常検出処理やリビルド処理などの処理の実行に使用可能な記憶部２２を示す使用記憶部情報に対応付けて、記憶部２２において実行中の処理である実行中処理と、処理の実行が開始された時刻である開始時刻と、処理の実行に伴う映像信号の読み出しおよび書き込みに使用されている帯域と、処理の実行に伴う映像信号の読み出しおよび書き込みに使用されているリソースを示す使用リソース情報と、処理を実行している映像信号を特定する素材ＩＤと、を記憶している。
【００３１】
図６は、素材管理テーブルのデータ構成を示す図である。素材管理テーブルＦ３は、図６に示すように、記憶部２２に収録された映像信号を特定する素材ＩＤに対応付けて、映像信号の再生に要する再生時間である素材長と、映像信号が収録された記憶部２２を示す記憶部情報と、映像信号が再生済みであるか否かを示す再生実施情報と、を記憶している。
【００３２】
リソース管理部２４６は、メイン処理部２４５からリソース情報の取得が要求されると、構成管理テーブルＦ１においてリソース種別：「記憶部」と対応付けられた管理情報（最大使用可能帯域）を読み出す。さらに、リソース管理部２４６は、リソース管理テーブルＦ２において使用記憶部情報と対応付けられた帯域を読み出す。次いで、リソース管理部２４６は、構成管理テーブルＦ１から読み出した最大使用可能帯域から、リソース管理テーブルＦ２から読み出した帯域を減算した残帯域を、記憶部２２毎に算出する。そして、リソース管理部２４６は、残帯域がある記憶部２２を処理の実行に使用可能なリソースとして特定する。次いで、リソース管理部２４６は、構成管理テーブルＦ１から、特定したリソースの管理情報を読み出し、特定したリソースのリストおよび読み出した管理情報を含むリソース情報をメイン処理部２４５に送る。
【００３３】
なお、リソース管理部２４６は、メイン処理部２４５から、リソース情報の取得が要求されるとともに、指定された映像信号の素材ＩＤが要求された場合、素材管理テーブルＦ３から、指定された映像信号の素材ＩＤを読み出す。そして、リソース管理部２４６は、リソース情報とともに、読み出した素材ＩＤをメイン処理部２４５に送る。
【００３４】
図２に戻り、収録部２１は、ビデオカメラ１２や再生デッキ１３等と接続され、ビデオカメラ１２や再生デッキ１３等から出力された映像信号を取り込み、取り込んだ映像信号を符号化する。本実施形態では、収録部２１は、ＣＰＵ２１１、および収録処理部２１２を備えている。
【００３５】
ＣＰＵ２１１は、主制御部２４から収録制御が与えられると、収録処理部２１２に対して、外部から供給される映像信号を処理するように指示を出す。収録処理部２１２は、ＣＰＵ２１１から指示を受けると、予め設定された符号化方式を用いて、映像信号を映像データに変換する。予め設定された符号化方式とは、例えば、ＭＰＥＧ２（Moving  Picture  Experts  Group  2）方式等である。収録処理部２１２は、映像データを記憶部２２へ出力する。
【００３６】
再生部２３は、記憶部２２から出力された映像データを映像信号に復号化し、復号化した映像信号を放送設備１５またはモニタ１６に出力する。本実施形態では、再生部２３は、ＣＰＵ２３１および再生処理部２３２を備えている。
【００３７】
ＣＰＵ２３１は、主制御部２４から再生制御が与えられると、再生処理部２３２に対して、記憶部２２から出力された映像データを処理するように指示を出す。再生処理部２３２は、ＣＰＵ２３１から指示を受けると、記憶部２２から供給される映像データを収録部２１での符号化方式に対応させて復号化し、映像信号に変換する。そして、再生処理部２３２は、変換後の映像信号を外部へ出力する。
【００３８】
記憶部２２は、複数の記録部１〜５（２６−１〜２６−５）と、記録部１〜５（２６−１〜２６−５）を制御して、収録部２１から出録された映像データの分割や再生部２３に出力する映像データの統合等を行う記憶制御部２５と、を備えている。
【００３９】
記憶制御部２５は、ＣＰＵ２５１、素材情報データベース（ＤＢ）２５２、および記録処理部２５３を備えている。
【００４０】
ＣＰＵ２５１は、主制御部２４から収録制御が与えられると、記録処理部２５３に対して収録部２１から出力された映像データの書き込みを指示する。また、ＣＰＵ２５１は、主制御部２４から再生制御が与えられると、記録処理部２５３に対して記録部１〜５（２６−１〜２６−５）からの映像データの読み出しを指示する。また、ＣＰＵ２５１は、主制御部２４からリビルド制御が与えられると、交換前の記録部に記録されていた映像データを、交換後の記録部に再構築するように、記録処理部２５３に対して指示する。さらに、ＣＰＵ２５１は、主制御部２４から異常検出制御が与えられると、記録部１〜５（２６−１〜２６−５）に収録された映像データの異常を検出するように、記録処理部２５３に対して指示する。
【００４１】
記録処理部２５３は、ＣＰＵ２５１から映像データの書き込みが指示されると、収録部２１から出力された映像データを複数の分割データに分割する。さらに、記録処理部２５３は、映像データを複数の分割データに分割する毎に、当該複数の分割データを復元するための復元データであるパリティデータを生成する。そして、記録処理部２５３は、複数の分割データおよびパリティデータを、記録部１〜５（２６−１〜２６−５）に対して並列（または順次）に出力する。これにより、記録処理部２５３は、複数の分割データおよびパリティデータを、記録部１〜５（２６−１〜２６−５）が有する論理ブロック（記憶領域）に分散して書き込む書込制御を行う。記録処理部２５３は、映像データの先頭フレームから最終フレームまで、複数の分割データおよびパリティデータの出力を繰り返す。
【００４２】
なお、記録処理部２５３は、記録部１〜５（２６−１〜２６−５）に出力する分割データまたはパリティデータに、当該分割データまたはパリティデータを書き込む論理ブロックのアドレスである論理ブロックアドレスを付加して出力するものとする。ここで、記録処理部２５３は、同一の映像データから分割した複数の分割データおよび当該分割データを復元するためのパリティデータには、同一の論理ブロックアドレスを付加するものとする。
【００４３】
また、記録処理部２５３は、ＣＰＵ２５１から映像データの読み出しが指示されると、素材情報Ｆ４（図１０参照）から、主制御部２４から通知された素材ＩＤと対応付けられた論理ブロックアドレスを抽出し、抽出した論理ブロックアドレスを記録部１〜５（２６−１〜２６−５）に通知する。これにより、記録処理部２５３は、記録部１〜５（２６−１〜２６−５）に対して並行して読出制御を行う。そして、記録処理部２５３は、記録部１〜５（２６−１〜２６−５）から、読出制御に応じて出力される分割データおよびパリティデータを受け取る。記録処理部２５３は、複数の分割データおよびパリティデータを正常に受け取った場合、受け取った複数の分割データおよびパリティデータから、映像データを生成し、生成した映像データを再生部２３へ出力する。
【００４４】
一方、記録処理部２５３は、受け取った複数の分割データおよびパリティデータのうちいずれかにエラーがある場合、または分割データおよびパリティデータのいずれかを受け取ることができない場合、正常に受け取った分割データおよびパリティデータに基づいて、正常な分割データまたはパリティデータを復元する。そして、記録処理部２５３は、復元したデータと受け取ったデータとを利用して映像データを生成し、生成した映像データを再生部２３へ出力する。
【００４５】
ここで、図７および図８を用いて、映像データの書き込みおよび映像データの読み出し処理の一例について説明する。図７は、映像データの書き込みおよび映像データの読み出しを説明するための図である。図８は、分割データを正常に受け取ることができなかった場合における、映像データの読み出しを説明するための図である。
【００４６】
記録処理部２５３は、図７に示すように、ＣＰＵ２５１から映像データの書き込みが指示されると、収録部２１から出力された映像データを４つの分割データＡ〜Ｄに分割する。さらに、記録処理部２５３は、映像データを４つの分割データＡ〜Ｄに分割する毎に、４つの分割データＡ〜Ｄを復元するためのパリティデータＰを生成する。そして、記録処理部２５３は、４つの分割データＡ〜Ｄをそれぞれ異なる記録部１〜４（２６−１〜２６−４）に出力するとともに、パリティデータＰを記録部５（２６−５）に出力する。
【００４７】
なお、本実施形態では、映像データから分割した分割データを異なる記録部１〜４（２６−１〜２６−４）に分散して書き込むとともに、パリティデータをパリティ専用の記録部５（２６−５）に書き込むＲＡＩＤ４の仕組みを用いて、映像データの書き込みを行っているが、これに限定するものではなく、他のＲＡＩＤレベルの仕組みを用いて映像データの書き込みを行っても良い。
【００４８】
また、記録処理部２５３は、ＣＰＵ２５１から映像データの読み出しが指示されると、素材情報Ｆ４（図１０参照）から、主制御部２４から通知された素材ＩＤと対応付けられた論理ブロックアドレスを抽出し、抽出した論理ブロックアドレスを記録部１〜５（２６−１〜２６−５）に通知して、記録部１〜５（２６−１〜２６−５）に対して並行して読出制御を行う。そして、記録処理部２５３は、図７に示すように、読出制御に応じて記録部１〜５（２６−１〜２６−５）から出力される４つの分割データＡ〜ＤおよびパリティデータＰを受け取る。記録処理部２５３は、４つの分割データＡ〜ＤおよびパリティデータＰを並行して正常に受け取った場合、受け取った４つの分割データＡ〜Ｄを結合して映像データを生成し、生成した映像データを再生部２３へ出力する。
【００４９】
また、記録処理部２５３は、図８に示すように、記録部１〜５（２６−１〜２６−５）のうち一部の記録部２（２６−２）の論理ブロックが故障して分割データＢの読み出しができない場合、他の記録部１，３〜５（２６−１，２６−３〜２６−５）から３つの分割データＡ，Ｃ，ＤおよびパリティデータＰを受け取る。そして、記録処理部２５３は、受け取った３つの分割データＡ，Ｃ，ＤおよびパリティデータＰから分割データＢを復元する。そして、記録処理部２５３は、３つの分割データＡ，Ｃ，Ｄと復元した分割データＢとを結合して映像データを生成し、生成した映像データを再生部２３へ出力する。なお、正常に受け取ることができた分割データおよびパリティデータから、正常に受け取ることができなかった分割データを復元する技術の詳細は、ＲＡＩＤと呼ばれる冗長化方式として知られているので、ここでは説明を省略する。
【００５０】
図２に戻り、記録処理部２５３は、ＣＰＵ２５１から映像データの再構築が指示されると、素材情報Ｆ４（図１０参照）から、主制御部２４から通知された素材ＩＤと対応付けられた論理ブロックアドレスを抽出し、抽出した論理ブロックアドレスを交換対象以外の記録部に通知して、交換対象以外の記録部に対して並行してリビルド読出制御を行う。そして、記録処理部２５３は、リビルド読出制御に応じて交換対象以外の記録部から出力される分割データおよびパリティデータを受け取る。記録処理部２５３は、交換対象以外の記録部から受け取った分割データおよびパリティデータから分割データを復元する。さらに、記録処理部２５３は、復元した分割データおよび抽出した論理ブロックアドレスを、交換後の記録部に出力して、当該復元した分割データを交換後の記録部に書き戻す。
【００５１】
ここで、図８および図９を用いて、映像データを再構築する処理の一例について説明する。図９は、映像データを再構築する処理を説明するための図である。図８に示すように、１つの記録部２（２６−２）が故障した状態でも記憶部２２の使用を継続することは可能であるが、故障した記録部２（２６−２）は正常な記録部に交換し、図９に示すように、記憶部２２が５つの記録部１〜５（２６−１〜２６−５）を備える構成に戻す方が好ましい。そのため、故障した記録部２（２６−２）を交換した後、記録処理部２５３は、交換後の記録部２（２６−２）に書き込む内容を作り直す再構築処理を実行する。
【００５２】
具体的には、記録処理部２５３は、ＣＰＵ２５１から映像データの再構築が指示されると、図９に示すように、交換対象以外の記録部１，３〜５（２６−１，２６−３〜２６−５）から、リビルド読出制御に応じて出力される分割データＡ，Ｃ〜ＤおよびパリティデータＰを受け取る。記録処理部２５３は、交換対象以外の記録部１，３〜５（２６−１，２６−３〜２６−５）から受け取った分割データＡ，Ｃ〜ＤおよびパリティデータＰから分割データＢを復元する。さらに、記録処理部２５３は、復元した分割データＢを、交換後の記録部２（２６−２）に出力して、当該復元した分割データＢを交換後の記録部２（２６−２）に書き戻す。
【００５３】
図２に戻り、記録処理部２５３は、ＣＰＵ２５１から映像データの異常の検出が指示されると、素材情報Ｆ４（図１０参照）から、主制御部２４から通知された素材ＩＤと対応付けられた論理ブロックアドレスを抽出し、抽出した論理ブロックアドレスを記録部１〜５（２６−１〜２６−５）に通知して、記録部１〜５（２６−１〜２６−５）に書き込まれた映像データの異常を検出する異常検出制御を行う。ここで、記録部１〜５（２６−１〜２６−５）に収録された映像データは、上述したように、複数の分割データに分割されかつ記録部１〜５（２６−１〜２６−５）が有する論理ブロックに分散して書き込まれている。そのため、記録処理部２５３は、ＣＰＵ２５１から映像データの異常の検出が指示されると、映像データから分割した分割データおよび当該分割データを復元するためのパリティデータの異常を、当該分割データおよびパリティデータが書き込まれている論理ブロック単位で検出する。
【００５４】
そして、記録処理部２５３は、分割データまたはパリティデータの異常が検出された場合、異常を検出した分割データまたはパリティデータが書き込まれた論理ブロックを有する記録部以外の記録部に対して、再度、抽出した論理ブロックアドレスを通知して、記録部に対して読出制御を行う。そして、記録処理部２５３は、読み出した分割データおよびパリティデータから、異常が検出された分割データまたはパリティデータを復元する。さらに、記録処理部２５３は、主制御部２４から通知された管理情報（素材の退避先）に従って、復元した分割データまたはパリティデータを、当該異常が検出された分割データが書き込まれていた論理ブロック以外の論理ブロックに書き込む再書込み制御を行う。
【００５５】
素材情報ＤＢ２５２は、素材情報Ｆ４を記憶する。図１０は、素材情報のデータ構成を示す図である。素材情報Ｆ４は、図１０に示すように、論理ブロックに書き込んだ分割データまたはパリティデータに対応する映像データから構成される映像素材の素材ＩＤと、論理ブロックに書き込んだ分割データまたはパリティデータに対応する映像データを識別する映像データ情報と、分割データまたはパリティデータを書き込んだ論理ブロックのアドレスである論理ブロックアドレスと、論理ブロックに書き込んだ分割データまたはパリティデータに対する異常の検出の進捗と、論理ブロックに書き込んだ分割データまたはパリティデータからの異常検出の有無と、を対応付けて記憶する。ここで、論理ブロックに書き込んだ分割データまたはパリティデータに対応する映像データとは、当該論理ブロックに書き込んだ分割データに分割された映像データのことである。
【００５６】
なお、各記録部１〜５（２６−１〜２６−５）の論理ブロックのうち、同一の映像データに対応する分割データまたはパリティデータを書き込んだ論理ブロックの論理ブロックアドレスには、同一の論理ブロックアドレスが適用されるものとする。したがって、例えば、映像データ情報：「１」により識別される映像データから分割された４つの分割データおよび当該４つの分割データを復元するためのパリティデータが書き込まれた各記録部１〜５（２６−１〜２６−５）の論理ブロックには、同一の論理ブロックアドレス：「１」が適用される。
【００５７】
記録部１〜５（２６−１〜２６−５）は、ＣＰＵ２６１、記録媒体２６２、破損情報データベース（ＤＢ）２６３、および素材情報データベース（ＤＢ）２６４を備えている。記録部１〜５（２６−１〜２６−５）の動作は、それぞれ同様であるため、以下では、記録部１（２６−１）の動作について説明する。
【００５８】
記録媒体２６２は、フラッシュメモリやＨＤＤなど、記録処理部２５３から出力された分割データまたはパリティデータが書き込まれる論理ブロックを有する。
【００５９】
ＣＰＵ２６１は、記録処理部２５３から書込制御を受けると、記録媒体２６２が有する論理ブロックのうち空いている論理ブロックを検索する。そして、ＣＰＵ２６１は、記録処理部２５３から出力された分割データまたはパリティデータを、検索した論理ブロックに書き込む。さらに、ＣＰＵ２６１は、記録部処理部２５３から出力された分割データまたはパリティデータに付加された論理ブロックアドレスと、検索した論理ブロックの先頭物理アドレスと、を対応付けて素材情報Ｆ５に記憶させる。
【００６０】
また、ＣＰＵ２６１は、記録処理部２５３から読出制御を受けると、素材情報Ｆ５（図１１参照）から、記録処理部２５３から通知された論理ブロックアドレスと対応付けられた先頭物理アドレスを抽出する。そして、ＣＰＵ２６１は、記録媒体２６２が有する論理ブロックのうち、抽出した先頭物理アドレスにより特定される論理ブロックから分割データまたはパリティデータを読み出す。そして、ＣＰＵ２６１は、読み出した分割データまたはパリティデータを記録処理部２５３へと出力する。
【００６１】
記録部１（２６−１）が交換後の記録部でない場合、ＣＰＵ２６１は、記録処理部２５３からリビルド読出制御を受けると、素材情報Ｆ５（図１１参照）から、記録処理部２５３から通知された論理ブロックアドレスと対応付けられた先頭物理アドレスを抽出する。そして、ＣＰＵ２６１は、記録媒体２６２が有する論理ブロックのうち、抽出した先頭物理アドレスにより特定される論理ブロックから分割データまたはパリティデータを読み出す。そして、ＣＰＵ２６１は、読み出した分割データまたはパリティデータを記録理部２５３へと出力する。
【００６２】
一方、記録部１（２６−１）が交換後の記録部である場合、ＣＰＵ２６１は、記録処理部２５３からリビルド読出制御を受けると、記録媒体２６２内の空いている論理ブロックを検索する。そして、ＣＰＵ２６１は、記録処理部２５３から出力される分割データまたはパリティデータを、検索した論理ブロックに書き込む。さらに、ＣＰＵ２６１は、記録処理部２５３から出力された分割データまたはパリティデータに付加された論理ブロックアドレスと、検索した論理ブロックの先頭物理アドレスと、を対応付けて素材情報Ｆ５に記憶させる。
【００６３】
また、ＣＰＵ２６１は、記録処理部２５３から異常検出制御を受けると、素材情報Ｆ５（図１１参照）から、記録処理部２５３から通知された論理ブロックアドレスと対応付けられた先頭物理アドレスを抽出する。次いで、ＣＰＵ２６１は、記録媒体２６２が有する論理ブロックのうち、抽出した先頭物理アドレスにより特定される論理ブロックから分割データまたはパリティデータの読み出しを行う。そして、ＣＰＵ２６１は、抽出した先頭物理アドレスにより特定される論理ブロックからの分割データまたはパリティデータの読み出しに失敗した場合に、当該抽出した先頭物理アドレスにより特定される論理ブロックに書き込まれた分割データまたはパリティデータの異常を検出する。そして、ＣＰＵ２６１は、異常検出実行結果を記録処理部２５３に通知する。さらに、ＣＰＵ２６１は、抽出した先頭物理アドレスにより特定される論理ブロックからの分割データまたはパリティデータの読み出しに失敗した場合、当該抽出した先頭物理アドレスを、破損情報Ｆ６（図１２参照）に記憶させる。
【００６４】
ＣＰＵ２６１は、記録処理部２５３から再書込み制御を受けると、記録媒体２６２が有する論理ブロックの空いている論理ブロックのうち、破損情報Ｆ６（図１２参照）に先頭物理アドレスが記憶されていない論理ブロックを検索する。そして、ＣＰＵ２６１は、記録処理部２５３から出力された分割データまたはパリティデータを、検索した論理ブロックに書き込む。これにより、ＣＰＵ２６１は、記録処理部２５３から出力された分割データまたはパリティデータを、異常が検出された分割データまたはパリティデータが書き込まれていた論理ブロック以外の論理ブロックに書き込む。さらに、ＣＰＵ２６１は、記録処理部２５３から出力された分割データまたはパリティデータに付加された論理ブロックアドレスと、検索した論理ブロックの先頭物理アドレスと、を対応付けて素材情報Ｆ５に記憶させる。
【００６５】
素材情報ＤＢ２６４は、素材情報Ｆ５を記憶する。図１１は、素材情報のデータ構成を示す図である。素材情報Ｆ５は、図１１に示すように、分割データまたはパリティデータが書き込まれた論理ブロックの論理ブロックアドレスと、分割データまたはパリティデータが書き込まれた論理ブロックの先頭物理アドレスと、を対応付けて記憶する。本実施形態では、記録処理部２５３からの各種制御（読出制御、リビルド読出制御、異常検出制御）が論理ブロック単位で行われるため、後述するＣＰＵ２６１は、素材情報Ｆ５を利用して、記録処理部２５３から通知された論理ブロックアドレスを先頭物理アドレスに変換して、記録処理部２５３からの各種制御（読出制御、リビルド読出制御、異常検出制御）に応じた処理を行う。
【００６６】
破損情報ＤＢ２６３は、破損情報Ｆ６を記憶する。図１２は、破損情報のデータ構成を示す図である。破損情報Ｆ６は、図１２に示すように、記録媒体２６２が有する論理ブロックのうち、異常が検出された論理ブロックの先頭物理アドレスを記憶するものである。
【００６７】
ここで、図１３を用いて、管理情報ＤＢ２４３、および素材情報ＤＢ２５２，２６４、および破損情報ＤＢ２６３に記憶された情報の関係について説明する。図１３は、素材情報ＤＢおよび破損情報ＤＢに記憶された情報の関係を説明するための図である。
【００６８】
主制御部２４では、図１３に示すように、管理情報ＤＢ２４３に記憶された素材管理テーブルＦ３において、記憶部２２に収録されている映像信号から構成される映像素材の情報（素材ＩＤ、素材長）と、当該映像素材の収録先の情報（記憶部情報）と、を対応付けて記憶している。
【００６９】
記憶部２２では、図１３に示すように、素材情報ＤＢ２５２に記憶された素材情報Ｆ４において、素材管理テーブルＦ３に記憶された素材ＩＤの映像素材を再生する単位である１フレームの映像データ毎に、記録部１〜５（２６−１〜２６−５）の論理ブロックのうちどの論理ブロックに書き込まれているかを記憶している。本実施形態では、図１３に示すように、１フレームの映像データは５つの記録部１〜５（２６−１〜２６−５）に分けて書き込まれる。
【００７０】
また、記録部１〜５（２６−１〜２６−５）では、図１３に示すように、素材情報ＤＢ２６４に記憶された素材情報Ｆ５において、素材情報Ｆ４に記憶された論理ブロックアドレスと、当該論理ブロックアドレスが表す論理ブロックの先頭物理アドレスと、を対応付けて記憶している。これにより、記録部１〜５（２６−１〜２６−５）は、素材情報Ｆ５を利用して、記録処理部２５３から通知された論理ブロックアドレスを先頭物理アドレスに変換して、先頭物理アドレスにより特定される論理ブロックから各種データの読み出しや書き込み等を行う。
【００７１】
さらに、記録部１〜５（２６−１〜２６−５）では、図１３に示すように、映像データの書き込みや読み出しに失敗した論理ブロックの先頭物理アドレスを、破損情報ＤＢ２６３の破損情報Ｆ６に記憶させる。これにより、異常が検出された論理ブロック（つまり、映像データの書き込みや読み出しに失敗した論理ブロック）が、映像データの書き込みや読み出しに使用されることを防止する。
【００７２】
次に、図１４〜１９を用いて、映像収録再生装置１１において実行される処理の詳細について説明する。図１４は、映像データの異常を検出する処理の流れの一例を示すシーケンス図である。
【００７３】
主制御部２４の制御受付部２４４は、上位制御装置２０１または保守端末２０２から異常検出指示を受け付ける（ステップＳ１４０１）。主制御部２４のメイン処理部２４５は、異常検出指示を受け付けると（ステップＳ１４０１）、リソース管理部２４６に対してリソース情報の取得を要求する。そして、メイン処理部２４５は、取得したリソース情報に含まれるリストが示す記憶部２２（記憶部１）で異常の検出を実行可能と判定する（ステップＳ１４０２）。次いで、メイン処理部２４５は、異常の検出を実行可能と判定した記憶部２２（記憶部１）の記憶制御部２５に対して異常検出処理を実行するように異常検出制御を行うとともに、指定された映像信号の素材ＩＤを通知する（ステップＳ１４０３）。
【００７４】
記憶制御部２５のＣＰＵ２５１は、記録処理部２５３に対して異常の検出を指示する。記録処理部２５３は、素材情報Ｆ４から、主制御部２４から通知された素材ＩＤと対応付けられた論理ブロックアドレス：「１」（異常を検出する映像データが書き込まれた論理ブロックの論理ブロックアドレス）を抽出する（ステップＳ１４０４）。次いで、記録処理部２５３は、抽出した論理ブロックアドレス：「１」を記録部１〜５（２６−１〜２６−５）に通知して、記録部１〜５（２６−１〜２６−５）に書き込まれた映像データの異常を検出する異常検出制御を行う（ステップＳ１４０５）。
【００７５】
記録部１〜５（２６−１〜２６−５）のＣＰＵ２６１は、記憶制御部２５から異常検出制御を受けると、素材情報Ｆ５から、記憶制御部２５から通知された論理ブロックアドレス：「１」と対応付けられた先頭物理アドレスを抽出するとともに、記録部１〜５（２６−１〜２６−５）の論理ブロックのうち、抽出した先頭物理アドレスにより特定される論理ブロックから分割データまたはパリティデータを読み出す（ステップＳ１４０６）。そして、ＣＰＵ２６１は、分割データまたはパリティデータの読み出しを行った論理ブロックの論理ブロックアドレス：「１」、および分割データおよびパリティデータの読み出しが成功して異常が検出されなかったこと：「ＯＫ」を、異常検出実行結果として記憶制御部２５に通知する（ステップＳ１４０７）。
【００７６】
記憶制御部２５の記録処理部２５３は、異常検出実行結果が通知されると、素材情報Ｆ４において、異常検出実行結果として通知された論理ブロックアドレス：「１」と対応付けられた進捗および異常検出の有無を更新する（ステップＳ１４０８）。具体的には、記録処理部２５３は、素材情報Ｆ４において、異常検出実行結果として通知された論理ブロックアドレス：「１」と対応付けられた進捗を「済」に更新するとともに、当該論理ブロックアドレス：「１」と対応付けられた異常検出の有無を「無」に更新する。
【００７７】
次に、記憶制御部２５の記録処理部２５３は、抽出した論理ブロックアドレス：「２」を記録部１〜５（２６−１〜２６−５）に通知して、記録部１〜５（２６−１〜２６−５）に書き込まれた映像データの異常を検出する異常検出制御を行う（ステップＳ１４０９）。
【００７８】
記録部１〜５（２６−１〜２６−５）のＣＰＵ２６１は、記憶制御部２５から異常検出制御を受けると、素材情報Ｆ５から、記録処理部２５３から通知された論理ブロックアドレス：「２」と対応付けられた先頭物理アドレスを抽出するとともに、記録部１〜５（２６−１〜２６−５）の論理ブロックのうち、抽出した先頭物理アドレスにより特定される論理ブロックから分割データまたはパリティデータを読み出す（ステップＳ１４１０）。そして、記録部１〜３，５（２６−１〜２６−３，２６−５）のＣＰＵ２６１は、分割データまたはパリティデータの読み出しを行った論理ブロックの論理ブロックアドレス：「２」、および分割データまたはパリティデータの読み出しが成功して異常が検出されなかったこと：「ＯＫ」を、異常検出実行結果として記憶制御部２５に通知する（ステップＳ１４１１）。一方、記録部４（２６−４）のＣＰＵ２６１は、分割データの読み出しを行った論理ブロックの論理ブロックアドレス：「２」、および分割データの読み出しが失敗して異常が検出されたこと：「ＮＧ」を、異常検出実行結果として記憶制御部２５に通知する（ステップＳ１４１１）。さらに、記録部４（２６−４）のＣＰＵ２６１は、破損情報Ｆ６に、分割データの読み出しを行った論理ブロックの先頭物理アドレスを記憶させる。
【００７９】
記憶制御部２５の記録処理部２５３は、異常検出実行結果が通知されると、素材情報Ｆ４において、異常検出実行結果として通知された論理ブロックアドレス：「２」と対応付けられた進捗および異常検出の有無を更新する（ステップＳ１４１２）。具体的には、記録処理部２５３は、素材情報Ｆ４において、異常検出実行結果として通知された論理ブロックアドレス：「２」と対応付けられた進捗を「済」に更新するとともに、当該論理ブロックアドレス：「２」と対応付けられた異常検出の有無を「有」に更新する。
【００８０】
記憶制御部２５および記録部１〜５（２６−１〜２６−５）は、ステップＳ１４０５〜ステップＳ１４１２までの処理を、抽出した論理ブロックアドレスの分（つまり、主制御部２４から通知された素材ＩＤの映像素材を構成するフレームの映像データ分）繰り返す。
【００８１】
記憶制御部２５の記録処理部２５３は、ステップＳ１４０５〜ステップＳ１４１２までの処理が、抽出した論理ブロックアドレスの分繰り返されると、素材情報Ｆ４において、指定された映像信号の素材ＩＤと対応付けられた論理ブロックアドレスのうち、異常検出の有無に「有」が記憶された論理ブロックアドレスを抽出する。そして、記録処理部２５３は、抽出した論理ブロックアドレスを、分割データに異常が検出されたこと：「ＮＧ」を異常検出実行結果として通知した記録部４（２６−４）以外の記録部１〜３，５（２６−１〜２６−３，２６−５）に通知して、読出制御を行う（ステップＳ１４１３）。
【００８２】
記録部１〜３，５（２６−１〜２６−３，２６−５）のＣＰＵ２６１は、記録処理部２５３から読出制御を受けると、素材情報Ｆ５から、記憶制御部２５から通知された論理ブロックアドレス：「２」と対応付けられた先頭物理アドレスを抽出する。さらに、ＣＰＵ２６１は、記録部１〜３，５（２６−１〜２６−３，２６−５）の論理ブロックのうち、抽出した先頭物理アドレスにより特定される論理ブロックから分割データまたはパリティデータを読み出し、読み出した分割データおよびパリティデータを記憶制御部２５に出力する（ステップＳ１４１４）。
【００８３】
記憶制御部２５の記録処理部２５３は、ＣＰＵ２６１から出力された分割データおよびパリティデータから、異常が検出された分割データを復元する再構築を実行する（ステップＳ１４１５）。そして、記録処理部２５３は、復元した分割データ、および素材情報Ｆ４において異常検出の有無に「有」が記憶された論理ブロックアドレス：「２」を、記録部４（２６−４）に出力して、再書込み制御を行う（ステップＳ１４１６）。
【００８４】
記録部４（２６−４）のＣＰＵ２６１は、記憶制御部２５から再書込み制御を受けると、記録媒体２６２が有する論理ブロックのうち、破損情報Ｆ６に先頭物理アドレスが記憶された論理ブロック以外の空いている論理ブロックを検索する。そして、ＣＰＵ２６１は、記録処理部２５３から出力された分割データを、検索した論理ブロックに書き込む（ステップＳ１４１７）。さらに、ＣＰＵ２６１は、記録処理部２５３から出力された論理ブロックアドレスと、検索した論理ブロックの先頭物理アドレスと、を対応付けて素材情報Ｆ５に記憶させる。
【００８５】
記憶制御部２５および記録部１〜５（２６−１〜２６−５）は、ステップＳ１４１３〜ステップＳ１４１７までの処理を、異常が検出された分割データまたはパリティデータの分繰り返す。
【００８６】
記憶制御部２５のＣＰＵ２５１は、異常検出制御を終えると、異常の検出を実行した映像信号の素材ＩＤ、および分割データの復元を行ったか否かを示す復元結果を含む異常検出完了通知を主制御部２４に出力する（ステップＳ１４１８）。
【００８７】
図１５は、映像データの異常の検出を中断する処理の流れの一例を示すシーケンス図である。なお、図１５に示すシーケンス図において、ステップＳ１４０１〜ステップＳ１４１２に示す処理は、図１４に示す処理と同様であるため、説明を省略する。
【００８８】
記憶制御部２５の記録処理部２５３により異常検出制御が行われている間、主制御部２４の制御受付部２４４は、上位制御装置２０１または保守端末２０２から異常検出の中断を指示する中断指示を受け付ける（ステップＳ１５０１）。制御受付部２４４が中断指示を受け付けると、メイン処理部２４５は、記憶制御部２５に対して、異常検出の中断を指示するとともに、指定された映像信号の素材ＩＤを通知する（ステップＳ１５０２）。なお、本実施形態では、上位制御装置２０１または保守端末２０２からの中断指示を受け付けているが、これに限定するものではない。例えば、異常検出制御が行われている間、リソース管理部２４６が、構成管理テーブルＦ１においてリソース種別：「記憶部」と対応付けられた管理情報（最大使用可能帯域）を読み出す。さらに、リソース管理部２４６は、リソース管理テーブルＦ２において使用記憶部情報と対応付けられた帯域を読み出す。次いで、リソース管理部２４６は、構成管理テーブルＦ１から読み出した最大使用可能帯域から、リソース管理テーブルＦ２から読み出した帯域を減算した残帯域を記録部１〜５（２６−１〜２６−５）毎に算出する。そして、リソース管理部２４６が、残帯域が所定の値以下となり記憶部２２にかかる負荷が所定の負荷よりも高くなった際に、中断指示を出力しても良い。
【００８９】
記憶制御部２５のＣＰＵ２５１は、記録処理部２５３に対して、分割データおよびパリティデータの異常の検出の中断を指示する。さらに、記録処理部２５３は、分割データおよびパリティデータの異常の検出の中断が指示されると、素材情報Ｆ４において、主制御部２４から通知された素材ＩＤと対応付けられた論理ブロックアドレスの論理ブロックを有する記録部１〜５（２６−１〜２６〜５）に対する異常検出制御を中断する（ステップＳ１５０３）。これにより、記録部１〜５（２６−１〜２６−５）のＣＰＵ２６１は、分割データおよびパリティデータの読み出し（ステップＳ１４１０）を中止して、分割データおよびパリティデータの異常の検出を中断する。
【００９０】
異常検出制御の中断後、記録処理部２５３は、主制御部２４に異常検出を中断したことを応答するとともに、主制御部２４から通知された素材ＩＤを通知する（ステップＳ１５０４）。なお、記録処理部２５３は、再書込み制御が行われている間に、異常の検出の中断が指示された場合、当該再書込み制御が完了するまで待機する。そして、再書込み制御が完了した後、記録処理部２５３は、主制御部２４に対して異常検出を中断したことを応答するとともに、主制御部２４から通知された素材ＩＤを通知する。
【００９１】
次いで、主制御部２４は、上位制御装置２０１または保守端末２０２からの制御要求に応じた制御（例えば、収録制御や再生制御など）を実行する（ステップＳ１５０５）。そして、主制御部２４は、上位制御装置２０１または保守端末２０２からの制御要求に応じた制御が完了すると（ステップＳ１５０６）、上位制御装置２０１または保守端末２０２に対して制御要求に応じた制御が完了したことを応答するとともに、記憶部１（２２）の記憶制御部２５に対して異常検出を実行する異常検出制御を行うとともに、指定された素材ＩＤを通知する（ステップＳ１５０７）。本実施形態では、上位制御装置２０１または保守端末２０２からの制御要求に応じた制御が完了した際に、記憶制御部２５に対して異常検出を実行する異常検出制御を行っているが、これに限定するものではない。例えば、上位制御装置２０１または保守端末２０２からの制御要求に応じた制御が行われている間、リソース管理部２４６が、構成管理テーブルＦ１においてリソース種別：「記憶部」と対応付けられた管理情報（最大使用可能帯域）を読み出す。さらに、リソース管理部２４６は、リソース管理テーブルＦ２において使用記憶部情報と対応付けられた帯域を読み出す。次いで、リソース管理部２４６は、構成管理テーブルＦ１から読み出した最大使用可能帯域から、リソース管理テーブルＦ２から読み出した帯域を減算した残帯域を記録部１〜５（２６−１〜２６−５）毎に算出する。そして、リソース管理部２４６が、残帯域が所定の値より高くなり記憶部２２にかかる負荷が所定の負荷以下となった際に、異常検出の再開を指示する再開指示を出力する。制御受付部２４４は、リソース管理部２４６から出力された再開指示を受け付ける。次いで、メイン処理部２４６が、記憶制御部２５に対して、再開指示が受け付けられると、記憶制御部２５に対して、異常検出を再開する異常検出制御を行うとともに、指定された素材ＩＤを通知する。
【００９２】
なお、主制御部２４から通知された素材ＩＤが、ステップＳ１５０２において通知された素材ＩＤと同一である場合には、記憶制御部２５は、素材情報Ｆ４において、通知された素材ＩＤと対応付けられた論理ブロックアドレスのうち、当該通知された素材ＩＤと対応付けられた進捗が「未」の論理ブロックアドレスを記録部１〜５（２６−１〜２６−５）に通知して、異常検出制御を再開する。
【００９３】
一方、主制御部２４から通知された素材ＩＤが、ステップＳ１５０２において通知された素材ＩＤと異なる場合には、記憶制御部２５は、素材情報Ｆ４において、通知された素材ＩＤと対応付けられた論理ブロックアドレスを記録部１〜５（２６−１〜２６−５）に通知して、新たに異常検出制御を行う。
【００９４】
なお、本実施形態では、記録部１〜５（２６−１〜２６−５）のＣＰＵ２６１は、記憶制御部２５から異常検出制御を受けた際に、素材情報Ｆ４において、通知された素材ＩＤと対応付けられた論理ブロックアドレスの論理ブロックに書き込まれた分割データまたはパリティデータの異常を検出しているが、これに限定するものではない。例えば、記録部１〜５（２６−１〜２６−５）のＣＰＵ２６１は、記憶制御部２５から読出制御を受けて、素材情報Ｆ５から、記憶制御部２５から通知された論理ブロックアドレスと対応付けられた先頭物理アドレスを抽出し、記録媒体２６２が有する論理ブロックのうち、抽出した先頭物理アドレスにより特定される論理ブロックから分割データまたはパリティデータの読み出しを行う。そして、ＣＰＵ２６１は、分割データまたはパリティデータの読み出しに失敗した場合に、当該分割データまたはパリティデータの異常を検出し、異常を検出した分割データまたはパリティデータが書き込まれた論理ブロックの論理ブロックアドレスを記憶制御部２５に通知しても良い。記憶制御部２５は、上位制御装置２０１または保守端末２０２から通知された素材ＩＤが、素材情報Ｆ４において、ＣＰＵ２６１から通知された論理ブロックアドレスと対応付けられた素材ＩＤと同一である場合、当該上位制御装置２０１または保守端末２０２から通知された素材ＩＤの映像素材を構成する映像信号（映像データ）から分割した分割データおよびパリティデータの異常を検出済みと判断して、素材情報Ｆ４において、ＣＰＵ２６１から通知された論理ブロックアドレスと対応付けられた進捗および異常検出の有無を更新する。これにより、記憶制御部２５は、記録部１〜５（２６−１〜２６−５）に書き込まれた分割データまたはパリティデータのうち、読出制御に応じて読み出された分割データまたはパリティデータ以外の分割データおよびパリティデータの異常の検出を実行するように異常制御を行うことができる。
【００９５】
図１６は、異常が検出された論理ブロックの数が閾値を超えた記録部の切離処理の流れの一例を示すシーケンス図である。なお、図１６に示すシーケンス図において、ステップＳ１４０１〜ステップＳ１４１２に示す処理は、図１４に示す処理と同様であるため、説明を省略する。
【００９６】
主制御部２４の制御受付部２４４は、映像収録再生装置１１の起動時に、上位制御装置２０１または保守端末２０２から閾値の設定を指示する閾値設定指示を受け付ける（ステップＳ１６０１）。制御受付部２４４が閾値設定指示を受け付けると、メイン処理部２４５は、リソース管理部２４６に対してリソース情報の取得を要求する。そして、メイン処理部２４５は、記憶部２２の記憶制御部２５に対して各種設定を実行するように設定制御を行うとともに、取得したリソース情報に含まれる管理情報を通知する（ステップＳ１６０２）。
【００９７】
記憶制御部２５のＣＰＵ２５１は、記録処理部２５３に対して各種設定の実行を指示する。記録処理部２５３は、主制御部２４から通知された管理情報に含まれる記録部情報を記録部１〜５（２６−１〜２６−５）に通知することにより、設定制御を行う（ステップＳ１６０３）。
【００９８】
ステップＳ１４０１〜ステップＳ１４１２に示す異常検出制御が実行された後、記録部１〜５（２６−１〜２６−５）のＣＰＵ２５１は、破損情報Ｆ６を参照して、分割データまたはパリティデータの異常が検出された論理ブロックの数を記録部１〜５（２６−１〜２６−５）毎に計数する。そして、計数した数が、記憶制御部２５から通知された記録部情報が示す閾値を超えていることを検出した場合（ステップＳ１６０４）、記録部４（２６−４）のＣＰＵ２５１は、計数した数を破損した論理ブックの数（破損ブロック数）を含む基板異常通知を記憶制御部２５に出力する（ステップＳ１６０５）。これにより、記録部の一部の論理ブロックのみが壊れた場合に、破損した論理ブロックの数が所定の閾値を超えるまで、当該記録部を使い続けることができる。
【００９９】
記憶制御部２５のＣＰＵ２５１は、記録部４（２６−４）から基板異常通知を受け取ると、基板異常通知を出力した記録部４（２６−４）を備える記憶部２２の記憶部番号、基板異常通知を出力した記録部４（２６−４）の記録部番号、および破損ブロック数を含む基板異常通知を、主制御部２４に出力する（ステップＳ１６０６）。
【０１００】
主制御部２４のＣＰＵ２４１は、受け取った基板異常通知を保守端末２０２に通知するとともに、当該基板異常通知に含まれる記憶部番号、記録部番号、および破損ブロック数を保守端末２０２が備える表示部（図示しない）に表示させる（ステップＳ１６０７）。さらに、主制御部２４のＣＰＵ２４１は、受け取った基板異常通知に含まれる記憶部番号および記録部番号を含む切離要求を、記憶制御部２５に出力する（ステップＳ１６０８）。
【０１０１】
記憶制御部２５のＣＰＵ２５１は、主制御部２４から切離要求を受けると、記録処理部２５３に対して、切離要求が含む記録部番号に対応する記録部４（２６−４）の切り離しを指示する。記録処理部２５３は、切り離しが指示された記録部４（２６−４）に対して、記録部４（２６−４）を分割データおよびパリティデータの書込制御を行う書込対象から外す切離処理を実行するように切離制御を行う（ステップＳ１６０９）。
【０１０２】
記録部４（２６−４）のＣＰＵ２６１は、記録処理部２５３から切離制御を受けると、記録媒体２６２を分割データまたはパリティデータの書き込みを行う対象から外す切離処理を行う。さらに、ＣＰＵ２６１は、切離処理が完了すると、切り離しが完了したことを通知する切離応答を記憶制御部２５に対して出力する（ステップＳ１６１０）。
【０１０３】
記憶制御部２５のＣＰＵ２５１は、記録部４（２６−４）から切離応答を受けると、切離応答を出力した記録部４（２６−４）を有する記憶部２２の記憶部番号、切離応答を出力した記録部４（２６−４）の記録部番号、切離処理の実行結果を含む切離応答を主制御部２４に出力する（ステップＳ１６１１）。
【０１０４】
図１７は、保守端末からの切離指示を受けて実行する切離処理の流れの一例を示すシーケンス図である。主制御部２４の制御受付部２４４は、保守端末２０２から、破損した論理ブロックの数（破損ブロック数）の確認を要求する破損ブロック情報表示指示を受け付ける（ステップＳ１７０１）。破損ブロック情報表示指示を受け付けると、メイン処理部２４５は、記憶制御部２５に対して、記憶部２２の記憶部番号および破損ブロック数を確認する記録部４（２６−４）の記録部番号を含む破損ブロック数取得要求を出力する（ステップＳ１７０２）。
【０１０５】
記憶制御部２５のＣＰＵ２５１は、破損ブロック数取得要求を受け取ると、記録処理部２５３に対して破損ブロック数の取得を指示する。記録処理部２５３は、破損ブロック数の取得が指示されると、破損ブロック数取得要求に含まれる記録部番号の記録部４（２６−４）に対して、破損ブロック数の取得を要求する破損ブロック数要求を出力する（ステップＳ１７０３）。
【０１０６】
破損ブロック数要求を受けると、記録部４（２６−４）のＣＰＵ２６１は、破損情報Ｆ６を参照して、分割データまたはパリティデータの異常が検出された論理ブロックの数（破損ブロック数）を計数する。そして、ＣＰＵ２６１は、計数した破損ブロック数を含む破損ブロック数応答を記憶制御部２５に出力する（ステップＳ１７０４）。
【０１０７】
記憶制御部２５のＣＰＵ２５１は、記録部４（２６−４）から破損ブロック数応答を受け取ると、破損ブロック数応答を出力した記録部４（２６−４）を備える記憶部２２の記憶部番号、破損ブロック数応答を出力した記録部４（２６−４）の記録部番号、および記録部４（２６−４）から出力された破損ブロック数応答が含む破損ブロック数を含む破損ブロック数取得応答を、主制御部２４に出力する（ステップＳ１７０５）。
【０１０８】
主制御部２４のＣＰＵ２４１は、受け取った破損ブロック数取得応答を保守端末２０２に通知するとともに、当該破損ブロック数取得応答に含まれる記憶部番号、記録部番号、および破損ブロック数を保守端末２０２が備える表示部（図示しない）に表示させる（ステップＳ１７０６）。
【０１０９】
図１８は、破損ブロック数が表示された画面の一例を示す図である。主制御部２４のＣＰＵ２４１は、記憶制御部２５のＣＰＵ２５１から受け取った破損ブロック数取得応答に含まれる記憶部番号、記録部番号、および破損ブロック数に従って、各記録部１〜５（２６−１〜２６−５）の破損ブロック数１８０２、および切離処理を実行する記録部１〜５（２６−１〜２６−５）を選択するための切り離し釦１８０３を含む破損ブロック確認画面１８０１を、保守端末２０２の表示部（図示しない）に表示させる。
【０１１０】
図１７に戻り、主制御部２４の制御受付部２４４は、破損ブロック確認画面１８０１の切り離し釦１８０３の操作に応じて、破損ブロック確認画面１８０１に破損ブロック数を表示した記録部１〜５（２６−１〜２６−５）のうち、切離処理を実行する記録部４（２６−４）の選択を受け付ける（ステップＳ１７０７）。次いで、メイン処理部２４５は、選択を受け付けた記録部４（２６−４）を有する記憶部２２の記憶部番号および当該選択を受け付けた記録部４（２６−４）の記録部番号を含む切離要求を、記憶制御部２５に出力する（ステップＳ１７０８）。
【０１１１】
記憶制御部２５のＣＰＵ２５１は、主制御部２４から切離要求を受けると、記録処理部２５３に対して、切離要求が含む記録部番号に対応する記録部４（２６−４）の切り離しを指示する。記録処理部２５３は、切り離しが指示された記録部４（２６−４）を分割データまたはパリティデータの書込制御を行う書込対象から外す切離処理を実行するように切離制御を行う（ステップＳ１７０９）。
【０１１２】
記録部４（２６−４）のＣＰＵ２６１は、記録処理部２５３から切離制御を受けると、記録媒体２６２を分割データまたはパリティデータの書き込みを行う対象から外す切離処理を行う。さらに、ＣＰＵ２６１は、切離処理が完了すると、切り離しが完了したことを通知する切離応答を記憶制御部２５に対して出力する（ステップＳ１７１０）。
【０１１３】
記憶制御部２５のＣＰＵ２５１は、記録部４（２６−４）から切離応答を受けると、切離応答を出力した記録部４（２６−４）を有する記憶部２２の記憶部番号、切離応答を出力した記録部４（２６−４）の記録部番号、切離処理の実行結果を含む切離応答を主制御部２４に出力する（ステップＳ１７１１）。
【０１１４】
主制御部２４のＣＰＵ２４１は、受け取った切離応答に含まれる切離処理の実行結果を保守端末２０２の表示部（図示しない）に表示させる（ステップＳ１７１２）。
【０１１５】
図１９は、異常が検出された映像データを他の記憶部に退避する処理の流れの一例を示すシーケンス図である。なお、図１９に示すシーケンス図において、ステップＳ１４０１〜ステップＳ１４１１に示す処理は、図１４に示す処理を同様であるため、説明を省略する。
【０１１６】
主制御部２４のメイン処理部２４５は、記憶部２２（記憶部１）で異常の検出が実行可能と判定されると、取得したリソース情報に含まれる管理情報のうち主制御部２４の管理情報（素材の退避先）を参照して、記憶部２２（記憶部２）が退避先として使用可能と判定する（ステップＳ１９０１）。さらに、メイン処理部２４５は、異常の検出を実行可能と判定した記憶部２２（記憶部１）の記憶制御部２５に対して異常検出処理を実行するように異常検出制御を行うとともに、指定された映像信号の素材ＩＤおよび退避先として使用可能と判定された記憶部２２（記憶部２）の記憶部番号を通知する（ステップＳ１９０２）。
【０１１７】
ステップＳ１４０５〜ステップ１４１１に示す異常検出制御において、記録部４（２６−４）に書き込まれた分割データまたはパリティデータの異常が検出された場合、記憶制御部２５の記録処理部２５３は、記憶部２２（記憶部１）の記録部１〜５（２６−１〜２６−５）に書き込まれた分割データおよびパリティデータを、ステップＳ１９０２において通知された記憶部番号の記憶部２２（記憶部２）の記録部１〜５（２６−１〜２６−５）にコピーする（ステップＳ１９０３）。
【０１１８】
本実施形態では、記録処理部２５３は、まず、素材情報Ｆ４において、指定された映像信号の素材ＩＤと対応付けられた論理ブロックアドレスを抽出する。そして、記録処理部２５３は、抽出した論理ブロックアドレスを、記録部１〜５（２６−１〜２６−５）に通知して、読出制御を行う。
【０１１９】
記録部１〜５（２６−１〜２６−５）のＣＰＵ２６１は、記録処理部２５３から読出制御を受けると、素材情報Ｆ５から、記録処理部２５３から通知された論理ブロックアドレスと対応付けられた先頭物理アドレスを抽出する。さらに、ＣＰＵ２６１は、記録部１〜５（２６−１〜２６−５）の論理ブロックのうち、抽出した先頭物理アドレスにより特定される論理ブロックから分割データまたはパリティデータを読み出し、読み出した分割データおよびパリティデータを記憶制御部２５に出力する。
【０１２０】
記憶制御部２５の記録処理部２５３は、ＣＰＵ２６１から受け取った１フレーム分の分割データおよびパリティデータを記憶部２２（記憶部２）に転送する。なお、記録処理部２５３は、ＣＰＵ２６１から出力された分割データおよびパリティデータのうちいずれかに異常がある場合、または分割データおよびパリティデータのいずれかを受け取ることができない場合、正常に受け取った分割データおよびパリティデータに基づいて、正常な分割データまたはパリティデータを復元して、記憶部２２（記憶部２）に出力するものとする。
【０１２１】
記憶部２２（記憶部２）において、記憶制御部２５の記録処理部２５３は、記憶部２２（記憶部１）から出力された分割データおよびパリティデータを、記録部１〜５（２６−１〜２６−５）に出力して、再書込み制御を行う。
【０１２２】
記憶部２２（記憶部２）において、記録部１〜５（２６−１〜２６−５）のＣＰＵ２６１は、記憶処理部２５３から再書込み制御を受けると、記録媒体２６２が有する論理ブロックのうち、破損情報Ｆ６に先頭物理アドレスが記憶された論理ブロック以外の空いている論理ブロックを検索する。そして、ＣＰＵ２６１は、記録処理部２５３から出力された分割データおよびパリティデータを、検索した論理ブロックに書き込む。これにより、記録処理部２５３は、復元した分割データまたはパリティデータを、異常が検出された分割データまたはパリティデータが書き込まれていた記録部４（２６−４）を備えた記憶部２２（記憶部１）以外の記憶部２２（記憶部２）が備える記録部１〜５（２６−１〜２６−５）の論理ブロックに書き込むものとする。
【０１２３】
なお、本実施形態では、異常検出制御の前に、退避先の記憶部２２（記憶部２）を使用可能と判定しているため、分割データまたはパリティデータの異常が検出された際に、主制御部２４を介さずに、記憶部２２（記憶部１）の記録部１〜５（２６−１〜２６−５）に書き込まれた分割データおよびパリティデータを、ステップＳ１９０２において通知された記憶部番号の記憶部２２（記憶部２）の記録部１〜５（２６−１〜２６−５）にコピーする処理を実行することができる。
【０１２４】
その後、記憶制御部２５の記録処理部２５３は、記憶部２２（記憶部１）の記録部１〜５（２６−１〜２６−５）に書き込まれた分割データおよびパリティデータを削除する映像素材削除処理を実行する（ステップＳ１９０４）。
【０１２５】
記憶制御部２５のＣＰＵ２５１は、映像素材削除処理が完了すると、異常が検出された分割データまたはパリティデータが書き込まれていた記録部１〜５（２６−１〜２６−５）を有する記憶部２２（記憶部１）の記憶部番号、記憶部２２（記憶部２）にコピーした映像データ（分割データおよびパリティデータ）から構成される映像素材の素材ＩＤ、および異常が検出された分割データまたはパリティデータの復元結果を含む異常検出完了通知を主制御部２４に出力する（ステップＳ１９０５）。
【０１２６】
主制御部２４のＣＰＵ２４１は、異常検出完了通知を受け取ると、構成管理テーブルＦ１に記憶された主制御部２４の管理情報を更新するとともに、異常の検出を実行可能なリソースに判定された記憶部２２（記憶部１）を解放する（ステップＳ１９０６）。
【０１２７】
このように本実施形態にかかる映像収録再生装置１１によれば、映像データから分割した複数の分割データおよび分割データを復元するためのパリティデータが複数の論理ブロックに分散して書き込まれた記録部１〜５（２６−１〜２６−５）を備え、記録部１〜５（２６−１〜２６−５）に書き込まれた分割データおよびパリティデータの異常を論理ブロック単位で検出し、異常が検出された分割データまたはパリティデータを、記録部１〜５（２６−１〜２６−５）に書き込まれた分割データおよびパリティデータから復元し、復元された分割データまたはパリティデータを、異常が検出された分割データまたはパリティデータが書き込まれていた論理ブロック以外の論理ブロックに書き込むことにより、記録部の一部の論理ブロックでしか異常が発生していない場合には、当該記録部を継続して使用することができるので、記録部において異常が発生しておらず使用可能な論理ブロックが無駄になってしまうことを防止することができる。また、記録部１〜５（２６−１〜２６−５）に書き込まれた分割データおよびパリティデータの異常の検出を映像収録再生装置１１の運用中に行っておくことにより、記録部１〜５（２６−１〜２６−５）の故障が検出された際に、速やかに分割データまたはパリティデータのリビルド読出制御を速やかに実行することができる。
【０１２８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【０１２９】
１１  映像収録再生装置
２１  収録部
２１１，２３１，２４１，２５１，２６１  ＣＰＵ
２１２  収録処理部
２２  記憶部
２３  再生部
２３２  再生処理部
２４  主制御部
２４２  主制御処理部
２４３  管理情報ＤＢ
２５２，２６４  素材情報ＤＢ
２４４  制御受付部
２４５  メイン処理部
２４６  リソース管理部
２５  記憶制御部
２５３  記録処理部
２６−１〜２６−５  記録部１〜５
２６２  記録媒体
２６３  破損情報ＤＢ
Ｆ１  構成管理テーブル
Ｆ２  リソース管理テーブル
Ｆ３  素材管理テーブル
Ｆ４，Ｆ５  素材情報
Ｆ６  破損情報
【図１】
2013065102.tif 000003
【図２】
2013065102.tif 000004
【図３】
2013065102.tif 000005
【図４】
2013065102.tif 000006
【図５】
2013065102.tif 000007
【図６】
2013065102.tif 000008
【図７】
2013065102.tif 000009
【図８】
2013065102.tif 000010
【図９】
2013065102.tif 000011
【図１０】
2013065102.tif 000012
【図１１】
2013065102.tif 000013
【図１２】
2013065102.tif 000014
【図１３】
2013065102.tif 000015
【図１４】
2013065102.tif 000016
【図１５】
2013065102.tif 000017
【図１６】
2013065102.tif 000018
【図１７】
2013065102.tif 000019
【図１８】
2013065102.tif 000020
【図１９】
2013065102.tif 000021